(57)【要約】【課題】  必要となる映像をファイルとして数多く、かつ、確実に保存できる構成を備えた監視システムを提供すること。【解決手段】  監視システム１は、所定の範囲内に進入してきた移動体を検出するセンサ２と、少なくともセンサ２の検出範囲の映像を撮影するカメラ機構部３と、センサ２の検出信号および撮影された映像信号の処理が行われる本体部４と、撮影された映像がセンサ２の検出信号に基づいて記録される半導体メモリ媒体５とを備えている。本体部４に対して着脱可能な半導体メモリ媒体５には、次に記録されるファイルの記録位置情報と、次に消去されるファイルの消去位置情報とが記録されている。【選択図】      図１
2006148390.tif 000002
【特許請求の範囲】
【請求項１】
所定の範囲内に進入してきた移動体を検出するセンサと、少なくとも該センサの検出範囲の映像を撮影するカメラ機構部と、上記センサの検出信号および撮影された映像信号の処理が行われる本体部と、該本体部に着脱可能で撮影された映像が記録される半導体メモリ媒体とを備え、
該半導体メモリ媒体に撮影された映像がファイルとして順次記録され、上記半導体メモリ媒体の残存容量が少なくなるまたはなくなると該半導体メモリ媒体に記録された元のファイルが消去され、上記半導体メモリ媒体に新たなファイルが順次記録されるように構成された監視システムにおいて、
上記半導体メモリ媒体は、少なくとも、次に記録されるファイルの記録位置情報と、次に消去されるファイルの消去位置情報とが記録されたシステムファイルを備えることを特徴とする監視システム。
【請求項２】
所定の範囲内に進入してきた移動体を検出するセンサと、少なくとも該センサの検出範囲の映像を撮影するカメラ機構部と、上記センサの検出信号および撮影された映像信号の処理が行われる本体部と、該本体部に着脱可能で撮影された映像が上記センサの検出信号に基づいて記録される半導体メモリ媒体とを備え、
該半導体メモリ媒体に撮影された映像がファイルとして順次記録され、上記半導体メモリ媒体の残存容量が少なくなるまたはなくなると該半導体メモリ媒体に記録された元のファイルが消去され、上記半導体メモリ媒体に新たなファイルが順次記録されるように構成された監視システムにおいて、
予め設定された設定時間帯においてのみ、撮影された映像がファイルとして上記半導体メモリ媒体へ記録され、上記設定時間帯以外は、映像は撮影されるが、撮影された映像がファイルとして記録されないタイマ記録モードを備えることを特徴とする監視システム。
【請求項３】
前記設定時間帯の情報は、前記半導体メモリ媒体に記録されていることを特徴とする請求項２記載の監視システム。
【請求項４】
前記半導体メモリ媒体に記録された前記設定時間帯は、前記半導体メモリ媒体が前記本体部に装着された状態で変更可能であることを特徴とする請求項３記載の監視システム。
【請求項５】
前記センサは、少なくとも前記タイマ記録モードにおいて、常時、前記移動体を検出可能になっていることを特徴とする請求項２から４いずれかに記載の監視システム。
【請求項６】
所定の範囲内に進入してきた移動体を検出するセンサと、少なくとも該センサの検出範囲の映像を撮影するカメラ機構部と、上記センサの検出信号および撮影された映像信号の処理が行われる本体部と、該本体部に着脱可能で撮影された映像が上記センサの検出信号に基づいて記録される半導体メモリ媒体とを備え、
該半導体メモリ媒体に撮影された映像がファイルとして順次記録され、上記半導体メモリ媒体の残存容量が少なくなるまたはなくなると該半導体メモリ媒体に記録された元のファイルが消去され、上記半導体メモリ媒体に新たなファイルが順次記録されるように構成された監視システムの制御方法において、
予め設定された設定時間帯においてのみ、撮影された映像がファイルとして上記半導体メモリ媒体へ記録されるタイマ記録モードを備え、少なくとも該タイマ記録モードでは、上記センサでの上記移動体の検出を常時可能にするとともに、上記センサでの検出情報を常時利用可能としたことを特徴とする監視システムの制御方法。
【発明の詳細な説明】
【技術分野】
【０００１】
本発明は、不審者等の移動体の映像を記録することができる監視システムおよび監視システムの制御方法に関するものである。
【背景技術】
【０００２】
従来から、銀行あるいはコンビニエンスストアの店舗等では、強盗や盗難あるいは空き巣等の犯罪への対策として監視システムが用いられている。また、近年の犯罪の増加に伴い、一般家庭にも監視システムが普及し始めている。この種の監視システムとして、所定の範囲内に進入してきた移動体を検出するセンサと、少なくともセンサの検出範囲の映像を撮影する機構部と、センサからの出力信号および撮影された映像信号の処理が行われる本体部と、本体部に着脱可能で撮影された映像がセンサの検出信号に基づいて記録される半導体メモリ媒体と、撮影された映像を映し出すモニタとを備えた監視システムが本願出願人によって提案されている（たとえば、特許文献１および２参照）。
【０００３】
特許文献１および２に記載の監視システムは、モード切替スイッチを本体部に備えており、監視モードと記録モードとからなるカメラモードと、再生モードとに切り替え可能となっている。監視モードでは、撮影された映像は所定の信号処理を経てモニタに映し出されるようになっている。この監視モードでは、半導体メモリ媒体に、映像は記録されないようになっている。記録モードでは、撮影された映像がセンサの検出信号に基づいて、所定の信号処理を経て、半導体メモリ媒体に記録されるようになっている。また、再生モードでは、半導体メモリ媒体に記録された映像が所定の信号処理を経てモニタに映し出されるようになっている。なお、この監視システムでは、半導体メモリ媒体として、１６ＭＢ（メガバイト）や３２ＭＢのコンパクトフラッシュ（登録商標）型のメモリカードが用いられている。
【０００４】
記録モードでは、撮影された映像は、センサが移動体を検出することによって、半導体メモリ媒体に記録され、保存されるようになっている。具体的には、半導体メモリ媒体に、センサが移動体を検出した際の映像がファイルとして順次記録されていく。そして、半導体メモリ媒体の残存容量が少なくなるまたはなくなると、半導体メモリ媒体に記録された元のファイルが自動的に消去され、新たなファイルが自動的に順次記録されるようになっている。
【０００５】
この種の監視システムを採用する店舗等では、たとえば、数日前に発生した犯罪時の映像を後日確認する必要が生じることもある。そのため、一般に、これらの店舗等は、複数のビデオテープや半導体メモリ媒体等の記録媒体を所持し、定期的に記録媒体の交換を行っている。たとえば、曜日別に７本の記録媒体を所持し、毎日、記録媒体の交換を行っている。本体部から取り外された記録媒体は、所定期間、保管される。すなわち、記録媒体内部のデータは、所定期間、保存される。
【０００６】
また、この監視システムでは、半導体メモリ媒体が交換され、電源が投入されると、本体部に装着された半導体メモリ媒体内部のデータを全て読み込むようになっている。そして、その読み込んだデータに基づいて、次に記録されるファイルの記録位置や次に消去されるファイルの消去位置といった情報を演算処理して求めるように構成されている。
【０００７】
【特許文献１】特開２００３−１２５３８６号公報
【特許文献２】特開２００３−１３４４４１号公報
【発明の開示】
【発明が解決しようとする課題】
【０００８】
昨今の犯罪の増加に伴い、監視システムを採用する店舗等のユーザにおいては、できるだけ多くの映像をファイルとして記録、保存しておきたいとのニーズが強くなってきており、その結果、半導体メモリ媒体の大容量化のニーズも強くなってきている。すなわち、半導体メモリ媒体の残存容量が少なくなるまたはなくなると、半導体メモリ媒体に記録された元のファイルが自動的に消去され、新たなファイルが自動的に順次記録されるように構成された従来の監視システムでは、できるだけ多くの映像をファイルとして保存しつつ必要なファイルの消去を防止し、数日前に発生した犯罪時の映像を後日確認できるようにするためには、半導体メモリ媒体が低容量の場合、頻繁な半導体メモリ媒体の交換が必要になる。たとえば、１６ＭＢのメモリカードを店舗用の監視システムに用いた場合には、数時間で容量がいっぱいとなってしまい、数時間ごとのメモリカードの交換が必要になる。この煩雑な半導体メモリ媒体の交換作業を減らすためには、半導体メモリ媒体の大容量化が必要になる。
【０００９】
しかしながら、従来の監視システムでは、半導体メモリ媒体が交換され、電源が投入されると、本体部に装着された半導体メモリ媒体内部のデータを全て読み込むようになっている。そのため、半導体メモリ媒体を大容量化すると、電源投入時のデータ読込処理に膨大な時間が必要となる。たとえば、５１２ＭＢのメモリカードを用いた場合には、約３０分の処理時間が必要となる。このような電源投入時の膨大な処理時間は現実的ではなく、その結果、従来の監視システムでは、半導体メモリ媒体の大容量化が困難となり、頻繁に半導体メモリ媒体の交換作業をしなければ、必要なファイルを確実には保存することができない。
【００１０】
一方、半導体メモリ媒体を大容量化した場合であっても、従来の記録モードのように、センサが移動体を検出した際の映像の全てが半導体メモリ媒体に記録されると、記録される映像の枚数は膨大となり、必要なファイルが自動的に消去されてしまうおそれがある。その結果、確実に必要なファイルを保存することができなくなるおそれがある。
【００１１】
そこで、本発明の課題は、必要となる映像をファイルとして数多く、かつ、確実に保存できる構成を備えた監視システムおよびその制御方法を提供することにある。
【課題を解決するための手段】
【００１２】
上記の課題を解決するため、本発明は、所定の範囲内に進入してきた移動体を検出するセンサと、少なくともセンサの検出範囲の映像を撮影するカメラ機構部と、センサからの出力信号および撮影された映像信号の処理が行われる本体部と、本体部に着脱可能で撮影された映像が記録される半導体メモリ媒体とを備え、半導体メモリ媒体に撮影された映像がファイルとして順次記録され、半導体メモリ媒体の残存容量が少なくなるまたはなくなると半導体メモリ媒体に記録された元のファイルが消去され、半導体メモリ媒体に新たなファイルが順次記録されるように構成された監視システムにおいて、半導体メモリ媒体は、少なくとも、次に記録されるファイルの記録位置情報と、次に消去されるファイルの消去位置情報とが記録されたシステムファイルを備えることを特徴とする。
【００１３】
本発明では、半導体メモリ媒体は、次に記録されるファイルの記録位置情報と、次に消去されるファイルの消去位置情報とが記録されたシステムファイルを備えている。そのため、半導体メモリ媒体が交換され、監視システムの電源が投入された時点で、システムファイルに記録されたこれらの情報を読み込むことで、ファイルを記録するために監視システムが必要とする情報を取得できる。したがって、従来のように、半導体メモリ媒体内部のデータを全て読み込む必要がなくなり、電源投入時の演算処理が軽減される。その結果、電源投入時の処理に膨大な時間を必要とせず、半導体メモリ媒体の大容量化が可能となる。そのため、半導体メモリ媒体の交換作業を減らしつつ、必要となる映像をファイルとして数多く、確実に保存できる。
【００１４】
また、上記の課題を解決するため、本発明は、所定の範囲内に進入してきた移動体を検出するセンサと、少なくともセンサの検出範囲の映像を撮影するカメラ機構部と、センサからの出力信号および撮影された映像信号の処理が行われる本体部と、本体部に着脱可能で撮影された映像がセンサの検出信号に基づいて記録される半導体メモリ媒体とを備え、半導体メモリ媒体に撮影された映像がファイルとして順次記録され、半導体メモリ媒体の残存容量が少なくなるまたはなくなると半導体メモリ媒体に記録された元のファイルが消去され、半導体メモリ媒体に新たなファイルが順次記録されるように構成された監視システムにおいて、予め設定された設定時間帯においてのみ、撮影された映像がファイルとして半導体メモリ媒体へ記録され、設定時間帯以外は、映像は撮影されるが、撮影された映像がファイルとして記録されないタイマ記録モードを備えることを特徴とする。
【００１５】
本発明では、監視システムは、予め設定された設定時間帯においてのみ、撮影された映像がファイルとして半導体メモリ媒体へ記録されるタイマ記録モードを備えている。監視システムを採用する店舗等のユーザによっては、たとえば、閉店時間等の夜間の一定時間帯のみを集中して監視したいとのニーズもある。そのため、設定時間帯においてのみ、センサが移動体を検出した際の映像がファイルとして半導体メモリ媒体へ記録されるようにすることで、ユーザが必要とする時間帯のみの映像をより多く記録できる。また、設定時間帯のみ映像がファイルとして記録されるため、センサが移動体を検出した際の映像が全てファイルとして記録される場合と比較して、記録されるファイル数を低減することができ、その結果、必要なファイルの消去を効果的に防止できる。すなわち、必要となる映像をファイルとして数多く、確実に保存できる。また、タイマ記録モードでは、設定時間帯以外は、撮影された映像はファイルとして記録されないが、映像の撮影自体は行われている。そのため、映像を、たとえば、モニタ等に表示することが可能になる。
【００１６】
本発明において、設定時間帯の情報は、半導体メモリ媒体に記録されていることが好ましい。ここで、設定時間帯の情報は、本体部に持たせることもできるが、本体部に設定時間帯の情報を持たせた場合には、その情報を記録、保存するための記録部や記録媒体が本体部に必要となり、本体部の部品点数が増加する。また、本体部に設定時間帯の情報を持たせると、設定時間帯を改ざんされるおそれが高くなる。これに対し、設定時間帯の情報を半導体メモリ媒体に記録させた場合には、本体部に、設定時間を記録するための記録媒体等が不要となり、本体部の構成を簡素化できる。また、半導体メモリ媒体は、本体部から取り外して保管できるため、設定時間帯を改ざんされるおそれが低くなる。
【００１７】
また、店舗等の特定のユーザにおいては、営業時間等との関係から曜日ごとに設定時間帯を設定したい場合もある。この場合に、本体部に設定時間帯の情報を持たせると、曜日を認識するための演算処理が本体部で必要となり、本体部での処理が複雑になる。これに対し、半導体メモリ媒体に設定時間帯の情報を持たせると、半導体メモリ媒体に記録された設定時間帯に基づいて映像の記録をすればよいから、本体部では、曜日を認識するための演算処理が不要となる。その結果、本体部での処理が簡素化され、また、本体部の構成が簡素化される。さらには、本体部での処理が簡素化されるため、装置の開発作業が簡素化できる。
【００１８】
本発明において、半導体メモリ媒体に記録された設定時間帯は、半導体メモリ媒体が本体部に装着された状態で変更可能であることが好ましい。このように構成すると、別途、設定時間帯設定用の装置を用いなくとも、設定時間帯の設定を自由に変更できる。
【００１９】
本発明において、センサは、少なくともタイマ記録モードにおいて、常時、移動体を検出可能になっていることが好ましい。このように構成すると、タイマ記録モードでは、映像を記録する設定時間帯でない場合においても、センサは移動体を検出するため、監視システムは、異常を検出できる。そのため、映像を記録しない場合であっても、センサで異常を検出して、たとえば、警報を鳴らして不審者の侵入を知らせることができる。すなわち、監視システムに種々の機能を追加できる。
【００２０】
また、上記の課題を解決するため、本発明は、所定の範囲内に進入してきた移動体を検出するセンサと、少なくともセンサの検出範囲の映像を撮影するカメラ機構部と、センサの検出信号および撮影された映像信号の処理が行われる本体部と、本体部に着脱可能で撮影された映像がセンサの検出信号に基づいて記録される半導体メモリ媒体とを備え、半導体メモリ媒体に撮影された映像がファイルとして順次記録され、半導体メモリ媒体の残存容量が少なくなるまたはなくなると半導体メモリ媒体に記録された元のファイルが消去され、半導体メモリ媒体に新たなファイルが順次記録されるように構成された監視システムの制御方法において、予め設定された設定時間帯においてのみ、撮影された映像がファイルとして半導体メモリ媒体へ記録されるタイマ記録モードを備え、少なくともタイマ記録モードでは、センサでの移動体の検出を常時可能にするとともに、センサでの検出情報を常時利用可能としたことを特徴とする。
【００２１】
本発明では、予め設定された設定時間帯においてのみ、撮影された映像がファイルとして半導体メモリ媒体へ記録されるタイマ記録モードを備えるため、ユーザが必要とする設定時間帯の映像をより多く記録しつつ、必要なファイルの消去を防止することができ、その結果、必要となる映像をファイルとして数多く、確実に保存できる。また、タイマ記録モードでは、センサは、常時、移動体を検出することができ、かつ、センサでの検出情報を常時利用可能としているため、映像を記録する設定時間帯でない場合においても、センサは移動体を検出し、監視システムは異常を検出できる。そのため、監視システムに種々の機能を追加できる。
【発明の効果】
【００２２】
以上のように、本発明にかかる監視システムおよび監視システムの制御方法では、必要となる映像をファイルとして数多く、かつ、確実に保存できる。
【発明を実施するための最良の形態】
【００２３】
以下、本発明を実施するための最良の形態を図面に基づいて説明する。
【００２４】
（監視システムの全体構成）
図１は、本発明の実施の形態にかかる監視システム１の全体構成を模式的に示す概略構成図である。
【００２５】
本形態の監視システム１は、銀行、コンビニエンスストアの店舗あるいは、一般家庭で、不審者等の移動体を撮影するために用いられるものであり、所定の範囲内に進入してきた移動体（図示省略）を検出するセンサ２と、少なくともセンサ２の検出範囲の映像を撮影するカメラ機構部３と、センサ２の検出信号および撮影された映像信号の処理が行われる本体部４と、本体部４に着脱可能で撮影された映像がセンサの検出信号に基づいて記録される半導体メモリ媒体５と、撮影された映像を映し出すモニタ機能６とを備えている。本形態では、センサ２とカメラ機構部３とが１つの筐体内部に収納され、センサ２とカメラ機構部３とによってカメラ部７が構成されている。
【００２６】
センサ２は、アンプ内蔵型のセンサであり、人間等の動物から発せられる遠赤外線を検出するようになっている。より具体的には、周囲の物体と温度差がある人間等の移動体が、所定の検出範囲内に進入してきた際に生じる遠赤外線の変化を検出するように構成されており、たとえば、座っている人間のわずかな動きも検出できるようになっている。本形態におけるセンサ２の検出距離は０．５ｍから３ｍ程度となっている。また、センサ２の検出角度は上下５０度、左右３６度となっている。なお、これらの検出距離および検出角度は、選定するセンサによって種々設定することができる。
【００２７】
カメラ機構部３は、本形態では、ＣＣＤ型カラー撮像素子を用いたＣＣＤカメラであり、センサ２とカメラ機構部３とから構成されるカメラ部７は、コード等の接続手段８によって、本体部４に電気的に接続されている。本形態におけるカメラ機構部３の撮影距離は、センサ２の検出距離とほぼ等しくなっている。また、カメラ機構部３の撮影角度は、センサ２の検出角度よりも広くなっており、たとえば、上下６０度、左右５０度の範囲で撮影できるようになっている。すなわち、カメラ機構部３は少なくともセンサ２の検出範囲の映像を撮影できるようになっている。なお、これらの撮影距離および撮影角度は、選定するＣＣＤカメラによって種々設定することができる。
【００２８】
本体部４は、コード等の接続手段９によって、電源供給手段となるコンセント１０に接続されている。また、本体部４は、カメラ部７で撮影されたアナログ映像をデジタル化するＡＤコンバータ、ＡＤコンバータでデジタル化された撮影データを圧縮して半導体メモリ媒体５に記録するとともに半導体メモリ媒体５から記録されたデータを取り出して伸張する圧縮伸張手段、圧縮伸張手段で伸張されたデジタルデータをアナログデータに変換するＤＡコンバータ等の撮影された映像信号を処理するための種々の構成を備えている。また、本体部４は、計時手段としてのリアルタイムクロックと、センサ２、カメラ機構部３等を制御する制御部とを備えているとともに、センサ２の検出信号を処理するための構成も備えている。制御部は、具体的にはＣＰＵ（中央処理装置）である。
【００２９】
さらに、本体部４は、常時、映像が撮影され、センサ２が移動体を検出した際の映像を半導体メモリ媒体５に記録する記録モードと、半導体メモリ媒体５に記録された映像をモニタ機能６に表示する再生モードとに監視システム１を切り替える切替スイッチを備えている。記録モードは、センサ２が移動体を検出した際の映像がファイルとして半導体メモリ媒体５へ記録される通常記録モードと、予め設定された設定時間帯においてのみ、センサ２が移動体を検出した際の映像がファイルとして半導体メモリ媒体５へ記録されるタイマ記録モードとに分けられ、切替スイッチによって、これらの通常記録モードとタイマ記録モードとにも切替可能となっている。
【００３０】
モニタ機能６は、本形態ではテレビジョンであり、通常はテレビジョン映像を表示し、監視システム１の再生モードでは、半導体メモリ媒体５に記録された映像を表示するようになっている。このモニタ機能６は、コード等の接続手段１１によって、本体部４に電気的に接続されている。なお、テレビジョンの代わりに、パーソナルコンピュータ（ＰＣ）をモニタ機能として用いても良い。この場合には、本体部４から半導体メモリ媒体５を取り外してＰＣに装着すれば、半導体メモリ媒体５に記録された映像を表示でき、図１に示す接続手段１１は不要となる。また、再生モードとは別に、カメラ部７で撮影された映像を常時モニタ機能６に表示するモードを設け、半導体メモリ媒体５に記録されたか否かにかかわらず、撮影された映像をモニタ機能６に表示しても良い。
【００３１】
（半導体メモリ媒体の構成）
図２は、図１に示す半導体メモリ媒体５の内部のディレクトリの構成を説明する説明図である。
【００３２】
本形態の半導体メモリ媒体５は、コンパクトフラッシュ（登録商標）（ＣＦ）型のメモリカードであり、たとえば、２５６ＭＢ、５１２ＭＢ等の容量を持った大容量のメモリカードである。なお、半導体メモリ媒体５の容量は上記には限定されず、その容量は、１６ＭＢ、３２ＭＢ、６４ＭＢ、１２８ＭＢであっても良い。なお、図２では、説明を簡略化するため、容量が３２ＭＢである半導体メモリ媒体５の内部のディレクトリの構成を示している。
【００３３】
図２に示すように、半導体メモリ媒体５は、その内部に、「監視カメラ映像」という名称の第１のディレクトリ２１と、「システムファイル」という名称の特製ファイル２２とを備えている。
【００３４】
（第１のディレクトリの構成およびファイルの記録方法）
第１のディレクトリ２１は、カメラ部７で撮影された映像をセンサ２での検出信号に基づいて、ファイルとして記録、保存するために設けられており、その下位には、４つの事前設定ディレクトリＡ、Ｂ、Ｃ、Ｄが設けられている。すなわち、これらの事前設定ディレクトリＡ、Ｂ、Ｃ、Ｄにセンサ２が移動体を検出した際の映像がファイルとして記録されるようになっている。なお、図２に示す半導体メモリ媒体５の容量は上述のように３２ＭＢであるため、第１のディレクトリ２１の下位には、４つの事前設定ディレクトリＡ、Ｂ、Ｃ、Ｄが設けられているが、半導体メモリ媒体５の容量が、たとえば、６４ＭＢであれば、８つの事前設定ディレクトリが設けられ、１２８ＭＢであれば、１６個の事前設定ディレクトリが設けられることになる。また、半導体メモリ媒体５の容量が、２５６ＭＢであれば、３２個の事前設定ディレクトリが設けられ、５１２ＭＢであれば、６４個の事前設定ディレクトリが設けられることになる。さらに、１６ＭＢであれば、２つの事前設定ディレクトリが設けられることになる。
【００３５】
４つの事前設定ディレクトリＡ、Ｂ、Ｃ、Ｄには、この順で予め順番付けがされており、この順番にしたがって、ファイルが順次記録されるようになっている。すなわち、まず、事前設定ディレクトリＡにファイルが記録され、続いて、事前設定ディレクトリＢ、事前設定ディレクトリＣ、事前設定ディレクトリＤの順番でファイルが記録されるようになっている。
【００３６】
また、各事前設定ディレクトリでは、予め定められた追い番が付されたファイル名でファイルが順次記録されるようになっている。たとえば、事前設定ディレクトリＡでは、「ｋａｎｓｈｉｇａｚｏｕ」に００１から２５４までの追い番が付されたファイル名で、事前設定ディレクトリＢでは、「ｋａｎｓｈｉｇａｚｏｕ」に２５５から５０８までの追い番が付されたファイル名で、ファイルが順次記録されるようになっている。また、事前設定ディレクトリＣでは、「ｋａｎｓｈｉｇａｚｏｕ」に００１から２５４までの追い番が付されたファイル名で、事前設定ディレクトリＤでは、「ｋａｎｓｈｉｇａｚｏｕ」に２５５から５０８までの追い番が付されたファイル名で、ファイルが順次記録されるようになっている。
【００３７】
さらに、半導体メモリ媒体５の残存容量、本形態では、第１のディレクトリ２１の残存容量が少なくなると、事前設定ディレクトリＡ、Ｂ、Ｃ、Ｄに記録された元のファイルは自動的に順次消去され、事前設定ディレクトリＡ、Ｂ、Ｃ、Ｄに新たなファイルが自動的に順次記録されるようになっている。なお、第１のディレクトリ２１の残存容量がなくなったときに、事前設定ディレクトリＡ、Ｂ、Ｃ、Ｄに記録された元のファイルが自動的に順次消去されるように構成することも可能である。
【００３８】
以上から、本形態におけるファイルの記録は、具体的には、以下のように行われるようになっている。最初にセンサ２が移動体を検出した際の映像は、本体部４に設けられたＡＤコンバータ、圧縮伸張手段によって所定の信号処理が行われて、事前設定ディレクトリＡに「ｋａｎｓｈｉｇａｚｏｕ００１．ｊｐｇ」の名称でファイルとして記録される。同様に、次にセンサ２が移動体を検出した際の映像は、事前設定ディレクトリＡに「ｋａｎｓｈｉｇａｚｏｕ００２．ｊｐｇ」の名称で記録される。このように、センサ２が移動体を検出した際の映像は、順次追い番が付されたファイル名で記録されていく。そして、事前設定ディレクトリＡでの追い番の最高値となる２５４の追い番が付された「ｋａｎｓｈｉｇａｚｏｕ２５４．ｊｐｇ」の名称で２５４番目の映像が事前設定ディレクトリＡに記録されると、事前設定ディレクトリＡへのファイルの記録が終了する。
【００３９】
事前設定ディレクトリＡへの記録が終了すると、２５５番目にセンサ２が移動体を検出した際の映像は、事前設定ディレクトリＢに「ｋａｎｓｈｉｇａｚｏｕ２５５．ｊｐｇ」の名称で記録される。以下、同様に、事前設定ディレクトリＢでの追い番の最高値となる５０８の追い番が付された「ｋａｎｓｈｉｇａｚｏｕ５０８．ｊｐｇ」の名称で５０８番目の映像が事前設定ディレクトリＢに記録されるまで、事前設定ディレクトリＢにセンサ２が移動体を検出した際の映像がファイルとして順次記録される。５０８番目の映像が事前設定ディレクトリＢに記録され、事前設定ディレクトリＢへのファイルの記録が終了すると、５０９番目にセンサ２が移動体を検出した際の映像は、事前設定ディレクトリＣに「ｋａｎｓｈｉｇａｚｏｕ００１．ｊｐｇ」の名称で記録される。
【００４０】
この５０９番目にセンサ２が移動体を検出した際の映像が記録される際（映像が記録される直前あるいは直後）には、事前設定ディレクトリＡに記録された「ｋａｎｓｈｉｇａｚｏｕ００１．ｊｐｇ」の名称のファイルが消去される。５１０番目にセンサ２が移動体を検出した際の映像が、事前設定ディレクトリＣに「ｋａｎｓｈｉｇａｚｏｕ００２．ｊｐｇ」の名称で記録される際には、事前設定ディレクトリＡに記録された「ｋａｎｓｈｉｇａｚｏｕ００２．ｊｐｇ」の名称のファイルが消去される。以下、同様に、事前設定ディレクトリＣでの追い番の最高値となる２５４の追い番が付された「ｋａｎｓｈｉｇａｚｏｕ２５４．ｊｐｇ」の名称で７６２番目の映像が事前設定ディレクトリＣに記録されるまで、事前設定ディレクトリＣにセンサ２が移動体を検出し際の映像がファイルとして順次記録され、事前設定ディレクトリＣに映像が順次記録される際には、事前設定ディレクトリＡに記録されたファイルが順次消去される。そして、事前設定ディレクトリＣへ７６２番目の映像が記録される際に、事前設定ディレクトリＡに記録された「ｋａｎｓｈｉｇａｚｏｕ２５４．ｊｐｇ」の名称のファイルが消去されると、事前設定ディレクトリＡが削除され、また、同一名称の事前設定ディレクトリＡがすぐに作成される。
【００４１】
７６２番目の映像が事前設定ディレクトリＣに記録され、事前設定ディレクトリＣへのファイルの記録が終了すると、７６３番目にセンサ２が移動体を検出した際の映像は、事前設定ディレクトリＤに「ｋａｎｓｈｉｇａｚｏｕ２５５．ｊｐｇ」の名称で記録される。この際には、事前設定ディレクトリＢに記録された「ｋａｎｓｈｉｇａｚｏｕ２５５．ｊｐｇ」の名称のファイルが消去される。７６４番目にセンサ２が移動体を検出した際の映像が、事前設定ディレクトリＤに「ｋａｎｓｈｉｇａｚｏｕ２５６．ｊｐｇ」の名称で記録される際には、事前設定ディレクトリＢに記録された「ｋａｎｓｈｉｇａｚｏｕ２５６．ｊｐｇ」の名称のファイルが消去される。以下、同様に、事前設定ディレクトリＤでの追い番の最高値となる５０８の追い番が付された「ｋａｎｓｈｉｇａｚｏｕ５０８．ｊｐｇ」の名称で１０１６番目の映像が事前設定ディレクトリＤに記録されるまで、事前設定ディレクトリＤに映像がファイルとして順次記録され、事前設定ディレクトリＤに映像が順次記録される際には、事前設定ディレクトリＢに記録されたファイルが順次消去される。そして、事前設定ディレクトリＤへ１０１６番目の映像が記録される際に、事前設定ディレクトリＢに記録された「ｋａｎｓｈｉｇａｚｏｕ５０８．ｊｐｇ」の名称のファイルが消去されると、事前設定ディレクトリＢが削除され、また、同一名称の事前設定ディレクトリＢがすぐに作成される。
【００４２】
事前設定ディレクトリＤへの記録が終了すると、１０１７番目の映像は、新たに作成された事前設定ディレクトリＡに「ｋａｎｓｈｉｇａｚｏｕ００１．ｊｐｇ」の名称で記録される。その際には、事前設定ディレクトリＣに「ｋａｎｓｈｉｇａｚｏｕ００１．ｊｐｇ」の名称で記録されたファイルが消去される。このように、事前設定ディレクトリＡへファイルを記録する際には、事前設定ディレクトリＣに記録されたファイルが順次消去されていき、事前設定ディレクトリＡへのファイル記録が終了して、事前設定ディレクトリＣに記録されたファイルの消去が終了すると、事前設定ディレクトリＣは削除され、また、同一名称の事前設定ディレクトリＣがすぐに作成される。そして、１２７１番目の映像は、新たに作成された事前設定ディレクトリＢに「ｋａｎｓｈｉｇａｚｏｕ２５５．ｊｐｇ」の名称で記録される。以下、この要領で、事前設定ディレクトリＡ、Ｂ、Ｃ、Ｄに記録された元のファイルが順次消去され、新たなファイルが順次書き込まれて記録されていく。
【００４３】
このように、事前設定ディレクトリに記録された元のファイルが順次消去され、全てのファイルが消去されると、その事前設定ディレクトリは削除され、同一名称の事前設定ディレクトリが新たに作成される。そしてこの新たに作成された事前設定ディレクトリに、新たなファイルが書き込まれて順次記録されていく。
【００４４】
なお、上記の説明では、事前設定ディレクトリＡ、Ｂへのファイルの記録が終了し、事前設定ディレクトリＣに「ｋａｎｓｈｉｇａｚｏｕ００１．ｊｐｇ」の名称でファイルが記録される際に、事前設定ディレクトリＡに記録された「ｋａｎｓｈｉｇａｚｏｕ００１．ｊｐｇ」の名称のファイルを消去し、以下、順次、事前設定ディレクトリに記録された元のファイルを消去することとしたが、事前設定ディレクトリに記録された元のファイルの消去を開始するタイミングは、第１のディレクトリ２１の容量によって、種々設定することができる。たとえば、事前設定ディレクトリＡ、Ｂ、Ｃへのファイルの記録が終了し、事前設定ディレクトリＤに「ｋａｎｓｈｉｇａｚｏｕ２５５．ｊｐｇ」の名称でファイルが記録される際に、事前設定ディレクトＡに記録された元のファイルの消去を開始しても良いし、事前設定ディレクトリＣに「ｋａｎｓｈｉｇａｚｏｕ１２７．ｊｐｇ」の名称でファイルが記録される際に、事前設定ディレクトリＡに記録された元のファイルの消去を開始しても良い。また、事前設定ディレクトリＡ、Ｂ、Ｃ、Ｄの全てにファイルが記録された後の新たなファイルの記録を、事前設定ディレクトリＡの領域への上書きにて行うようにしても良い。
【００４５】
（特製ファイルの構成）
「システムファイル」という名称の特製ファイル２２は、本体部４に装着される半導体メモリ媒体５を交換した後の電源投入時における本体部４での演算処理を軽減するために設けられている。この特製ファイル２２には、現在記録されたファイル数に関する情報である「現在の記録枚数」と、半導体メモリ媒体５の容量に関する情報である「ＣＦ容量情報」と、次にファイルが記録される事前設定ディレクトリの位置情報である「現在の記録ディレクトリ位置情報」と、タイマ記録モードにおける設定時間帯に関する情報である「タイマＳ・Ｅデータ」と、ファイルを記録する際に元のファイルが消去処理されるか否かに関する情報である「上書きフラグ」と、次に消去されるファイルの消去位置情報である「消去ファイルＮＯ」および「消去ディレクトリＮＯ」と、各事前設定ディレクトリの追い番の最高値に関する情報である「比較用ＭＡＸファイルカウント」と、再生モードにおいてファイルを再生するための情報である「ファイルＮＯ．ＭＡＰ」とが記録されるようになっている。
【００４６】
「現在の記録枚数」から得られる現在記録されたファイル数に関する情報と、「現在の記録ディレクトリ位置情報」から得られる次にファイルが記録される事前設定ディレクトリの位置情報とによって、次に記録されるファイルの記録位置情報を得ることができるようになっている。そのため、本体部４に装着される半導体メモリ媒体５を交換した後の電源投入時に、「現在の記録枚数」と「現在の記録ディレクトリ位置情報」とから、次に記録されるファイルの記録位置情報をすぐに得ることができ、この情報を記録モードで利用できる。また、「現在の記録枚数」と「現在の記録ディレクトリ位置情報」とから、再生に必要な情報もすぐに得ることができ、再生モードでは、たとえば、モニタ機能６へ記録枚数をすぐに表示できる。なお、記録モードから再生モードへ、あるいは、再生モードから記録モードへ切り替えた場合にも、「現在の記録枚数」と「現在の記録ディレクトリ位置情報」とから必要な情報をすぐに得ることができる。
【００４７】
「ＣＦ容量情報」から得られる半導体メモリ媒体５の容量に関する情報によって、半導体メモリ媒体５がどの容量でフォーマットされたかが確認できるようになっている。また、「ＣＦ容量情報」から得られる情報に基づいて、各事前設定ディレクトリＡ、Ｂ、Ｃ、Ｄの容量に関する情報も得ることができるようになっている。この「ＣＦ容量情報」から得られる情報は、記録モードおよび再生モードの両モードにおいて用いられるようになっている。
【００４８】
「タイマＳ・Ｅデータ」には、タイマ記録モードにおける設定時間帯を決定する開始時間と終了時間とが記録されている。たとえば、開始時間として２２時（午後１０時）が記録され、終了時間として９時（午前９時）が記録されている。そのため、半導体メモリ媒体５を交換することで、半導体メモリ媒体５ごとに、タイマ記録モードの時間設定ができるようになっている。
【００４９】
「上書きフラグ」から得られるファイルを記録する際に元のファイルが消去処理されるか否かに関する情報に基づいて、上述のような事前設定ディレクトリに記録された元のファイルの消去処理が必要か否かが判断される。
【００５０】
「消去ファイルＮＯ」および「消去ディレクトリＮＯ」からは、次に消去されるファイルの消去位置情報を得ることができるため、本体部４に装着される半導体メモリ媒体５を交換した後の電源投入時に、次に消去されるファイルの消去位置情報をすぐに得ることができ、この情報を記録モードで利用できるようになっている。
【００５１】
「比較用ＭＡＸファイルカウント」から、各事前設定ディレクトリＡ、Ｂ、Ｃ、Ｄの追い番の最高値に関する情報を得ることができるようになっている。たとえば、本形態では、事前設定ディレクトリＡの追い番の最高値として２５４が記録され、事前設定ディレクトリＢの追い番の最高値として５０８が記録され、事前設定ディレクトリＣの追い番の最高値として２５４が記録され、事前設定ディレクトリＤの追い番の最高値として５０８が記録されている。事前設定ディレクトリによって相違する追い番の最高値の情報は、記録モードで必要となる。
【００５２】
「ファイルＮＯ．ＭＡＰ」からは、事前設定ディレクトリごとに記録されたファイル名称およびファイル数に関する情報を得ることができ、本体部４に装着される半導体メモリ媒体５を交換した後の電源投入時、あるいは、記録モードから再生モードへモードの切替を行った場合に、再生に必要な情報がすぐに得られるようになっている。
【００５３】
（監視システムの動作）
図３は、記録モードを中心として監視システム１の動作を示すフローチャートである。
【００５４】
以上のように構成された監視システム１の動作を以下で説明する。なお、以下の説明では、本発明の要部となる記録モードを中心に監視システム１の動作を説明する。
【００５５】
半導体メモリ媒体５が交換された後、オフ状態となっていた監視システム１に電源が投入される（ステップ１０１）。なお、半導体メモリ媒体５の交換は、たとえば、毎日行われる。７本の半導体メモリ媒体５が準備されていれば、曜日ごとに同じ半導体メモリ媒体５を本体部４に装着することができ、少なくとも１週間は、記録された映像をファイルとして保存できる。
【００５６】
電源が投入されると、本体部４に装着された半導体メモリ媒体５（図３ではＣＦと表記）のフォーマットが済んでいるか否かが判断される（ステップ１０２）。半導体メモリ媒体５のフォーマットが済んでいる場合には、半導体メモリ媒体５に記録された情報のうち、特製ファイル２２に記録された各情報が本体部４に読み込まれる（ステップ１０３）。半導体メモリ媒体５のフォーマットが済んでいない場合には、半導体メモリ媒体５のフォーマットを行い（ステップ１０２Ａ）、その後、半導体メモリ媒体５の特製ファイル２２に記録されたフォーマット時の各情報が本体部４に読み込まれる（ステップ１０３）。なお、半導体メモリ媒体５のフォーマットの際、「タイマＳ・Ｅデータ」には、開始時間２２時、終了時間９時がデフォルト値として記録される。
【００５７】
その後、再生モードであるか記録モードであるかが判断される（ステップ１０４）。再生モードである場合には、半導体メモリ媒体５に記録された映像がモニタ機能６に表示されるが、この再生モードの操作の詳細な説明は省略する。
【００５８】
また、再生モードでは、「タイマＳ・Ｅデータ」に記録された開始時間および終了時間の変更が可能となっており、タイマ記録モードにおける設定時間帯の再設定が必要か否かが判断される（ステップ１０５）。設定時間帯の再設定が必要な場合には、開始時間および／または終了時間の再設定が行われる（ステップ１０６）。この再設定された情報は半導体メモリ媒体５の特製ファイル２２に記録される。
【００５９】
一方、記録モードである場合には、タイマ記録モードであるか通常記録モードであるかが判断される（ステップ１０７）。タイマ記録モードである場合には、タイマモードフラグ（タイマモードＦｌｇ）として「１」が本体部４に設定され（ステップ１０８）、通常記録モードである場合には、タイマモードＦｌｇとして「０」が本体部４に設定される（ステップ１０９）。
【００６０】
記録モードでは、常時、映像が撮影されている。また、センサ２は、常時、移動体を検出できるようになっており、センサ２での検出情報が常時利用可能となっている。そして、センサ２が移動体を検出すると（ステップ１１０）、センサ２の検出信号をトリガとして、半導体メモリ媒体５への記録が可能な状態となる。センサ２が移動体を検出しない場合には、ステップ１０７へ戻る。
【００６１】
センサ２が移動体を検出すると、タイマモードＦｌｇが「１」であるか「０」であるかが判断される（ステップ１１２）。タイマモードＦｌｇが「１」である場合、すなわち、タイマ記録モードである場合には、さらに、タイマ記録モードにおける設定時間帯の範囲内であるか否かが、本体部４に設けられたリアルタイムクロックから取得される情報に基づいて判断される（ステップ１１３）。そして、設定時間帯の範囲内であれば、センサ２が移動体を検出した際の映像がファイルとして半導体メモリ媒体５の事前設定ディレクトリＡ、Ｂ、Ｃ、Ｄのいずれかへ記録される画像記録処理が行われる（ステップ１１４）。この画像記録処理は、上述したファイルの記録方法にしたがって行われる。この画像記録処理が行われるたびに、半導体メモリ媒体５の特製ファイル２２に記録された情報も更新されていく。より具体的には、「ＣＦ容量情報」を除く他の情報の記録が必要に応じて更新されていく。画像記録処理が終了すると、ステップ１０７へ戻る。また、設定時間帯の範囲外であれば、センサ２が移動体を検出した際の映像はファイルとして半導体メモリ媒体５へは記録されず、ステップ１０７へ戻る。なお、設定時間帯の範囲外であっても、常時、映像が撮影されているため、撮影された映像のモニタ機能６への表示は可能である。
【００６２】
一方、タイマモードＦｌｇが「０」である場合、すなわち、通常記録モードである場合には、センサ２が移動体を検出した際の映像がファイルとして半導体メモリ媒体５の事前設定ディレクトリＡ、Ｂ、Ｃ、Ｄのいずれかへ記録される画像記録処理が行われる（ステップ１１４）。この画像記録処理は、上述したファイルの記録方法にしたがって行われる。画像記録処理が終了すると、ステップ１０７へ戻る。
【００６３】
（本形態の主な効果）
以上説明したように、本形態の監視システム１では、半導体メモリ媒体５が、「現在の記録枚数」および「現在の記録ディレクトリ位置情報」から得られる次に記録されるファイルの記録位置情報と、「消去ファイルＮＯ」および「消去ディレクトリＮＯ」から得られる次に消去されるファイルの消去位置情報とが記録された「システムファイル」という名称の特製ファイル２２を備えている。そのため、半導体メモリ媒体５が交換され、監視システム１の電源が投入された時点で、これらの情報を読み込むことで、記録モードおよび／または再生モードで必要となる情報を取得できる。したがって、従来、行われていた半導体メモリ媒体５の第１のディレクトリ２１に記録された全データの読込みおよびそのデータに基づく演算処理が不要となり、電源投入時の演算処理が軽減される。その結果、電源投入時の演算処理に膨大な時間を必要とせず、半導体メモリ媒体５を大容量化できる。そのため、半導体メモリ媒体５の交換作業を減らしつつ、必要となる映像をファイルとして数多く、確実に保存できる。
【００６４】
特に、本形態では、上記の情報に加え、特製ファイル２２には、記録モードおよび／または再生モードで必要とされる情報が「ＣＦ容量情報」、「上書きフラグ」、「比較用ＭＡＸファイルカウント」および「ファイルＮＯ．ＭＡＰ」として記録されている。そのため、電源投入時において、これらの情報の演算処理が不要となり、電源投入時の本体部４での演算処理が軽減される。
【００６５】
また、本形態の監視システム１では、記録モードとして、通常記録モードに加え、予め設定された設定時間帯においてのみ、センサ２が移動体を検出した際の映像がファイルとして半導体メモリ媒体５へ記録されるタイマ記録モードを備えている。そのため、タイマ記録モードを選択すれば、たとえば、閉店時等の夜間の一定時間帯のみを集中して監視したいといったユーザのニーズに応えることができる。また、設定時間帯においてのみ、映像がファイルとして半導体メモリ媒体５へ記録されるため、ユーザが必要とする時間帯のみの映像をより多く記録できる。さらに、設定時間帯においてのみ、映像がファイルとして半導体メモリ媒体５へ記録されるため、センサ２が移動体を検出した際の映像が全てファイルとして記録される場合と比較して、記録されるファイル数を低減することができる。そのため、元のファイルが自動的に消去され、新たなファイルが自動的に書き込まれていくファイルの記録方法を採用した場合であっても、ユーザが必要とする映像をより多く記録しつつ、必要なファイルの消去を効果的に防止できる。すなわち、必要となる映像をファイルとして数多く、確実に保存できる。また、タイマ記録モードでは、設定時間帯以外は、撮影された映像はファイルとして記録されないが、映像の撮影自体は行われている。そのため、モニタ機能６へ映像を表示することができる。
【００６６】
本形態では、タイマ記録モードにおける設定時間帯の情報は、半導体メモリ媒体５の特製ファイル２２に「タイマＳ・Ｅデータ」として記録されている。そのため、設定時間帯の情報を本体部４に持たせる場合と比較して、本体部４の構成を簡素化することができる。また、半導体メモリ媒体５は本体部４から取り外して保管できるため、本体部４に設定時間帯の情報を持たせる場合と比較して、設定時間帯を改ざんされるおそれが低くなる。
【００６７】
また、店舗等の特定ユーザでは、営業時間等との関係から曜日ごとに設定時間帯を設定したい場合もある。この場合に、本体部４に設定時間帯の情報を持たせると、曜日を認識するための演算処理が本体部４で必要となり、本体部４での演算処理が複雑になる。本形態では、半導体メモリ媒体５に設定時間帯の情報が記録されているため、本体部４はこの設定時間帯の情報のみを読み込んで、画像記録処理を行えばよい。そのため、本体部４では、曜日を認識するための演算処理が不要となり、本体部４での処理が簡素化される。その結果、本体部４の構成が簡素化される。また、本体部４での処理が簡素化されるため、装置の開発作業が簡素化できる。
【００６８】
本形態では、半導体メモリ媒体５に記録された設定時間帯は、本体部４に半導体メモリ媒体５を装着した状態で変更可能である。そのため、設定時間帯設定用の装置を用いなくとも、設定時間帯の設定を自由に変更できる。特に、本形態では、再生モードでタイマ記録モードにおける設定時間帯の再設定ができるようになっているため、別途、設定時間帯を再設定するための設定モードを設ける必要がなく、本体部４の構成を簡素化できる。
【００６９】
本形態では、センサ２は、記録モードにおいて、常時、移動体を検出できるようになっている。そのため、画像記録処理を行う設定時間帯でない場合においても、センサ２は移動体を検出するため、監視システム１は、異常を検出できる。そのため、画像記録処理を行わない場合であっても、センサ２で異常を検出し、たとえば、警報を鳴らして不審者の侵入を知らせることができる。すなわち、監視システム１に種々の機能を追加できる。
【００７０】
（他の実施の形態）
上述した形態は、本発明の好適な形態の一例ではあるが、これに限定されるものではなく本発明の要旨を変更しない範囲において種々変形可能である。たとえば、上述した形態では、監視システム１は、記録モードとして、通常記録モードとタイマ記録モードとを備えていたが、本発明の監視システムは、タイマ記録モードを必ずしも備える必要はない。この場合であっても、電源投入時における本体部４の演算処理が軽減され、半導体メモリ媒体５を大容量化できるという上述の効果を得ることができる。
【００７１】
また、上述した形態では、タイマ記録モードにおける設定時間帯の情報は、半導体メモリ媒体５の特製ファイル２２に記録されていたが、半導体メモリ媒体５に他のファイルを設け、そのファイルに記録しても良い。さらに、この設定時間帯の情報は、本体部４に設けられた記録部または記録媒体に記録するようにしても良い。この場合であっても、設定時間帯においてのみ、映像がファイルとして半導体メモリ媒体５へ記録されるため、ユーザが必要とする映像をより多く記録しつつ、必要なファイルの消去を効果的に防止できるといった上述の効果を得ることができる。
【００７２】
さらに、半導体メモリ媒体５の特製ファイル２２には、タイマ記録モードにおける設定時間帯に関する情報である「タイマＳ・Ｅデータ」のみが記録されるようにしても良い。この場合であっても、本体部４での、曜日を認識するための演算処理が不要となり、本体部４での処理が簡素化される等の上述した効果を得ることができる。
【００７３】
さらにまた、半導体メモリ媒体５に記録されたタイマ記録モードにおける設定時間帯の設定は、別装置を用いて行っても良いし、タイマ記録モードでは、センサ２が、設定時間帯にのみ移動体を検出できるようにしても良い。
【００７４】
また、半導体メモリ媒体５の交換は、毎日行われる必要はなく、たとえば、店舗の営業時間が同じ月曜日から金曜日までは同じ半導体メモリ媒体５を用い、休日となる土曜日と日曜日とには別の半導体メモリ媒体５を用いるといったように、週２回、半導体メモリ媒体５の交換を行っても良い。
【００７５】
さらに、上述した形態では、半導体メモリ媒体５としてコンパクトフラッシュ（登録商標）型のメモリカードを用いたが、半導体メモリ媒体５として、スマートメディアやＳＤメモリカードといった種々のメモリカードを用いることもできる。また、圧縮ソフトを使用することで１つのファイルの容量を一定容量以下としてから記録するようにしたり、圧縮ソフトを使用することで記録するファイルの枚数を増加させるようにしても良い。
【図面の簡単な説明】
【００７６】
【図１】本発明の実施の形態にかかる監視システムの全体構成を模式的に示す概略構成図である。
【図２】図１に示す半導体メモリ媒体の内部のディレクトリの構成を説明する説明図である。
【図３】記録モードを中心として監視システムの動作を示すフローチャートである。
【符号の説明】
【００７７】
１  監視システム
２  センサ
３  カメラ機構部
４  本体部
５  半導体メモリ媒体
２１  第１のディレクトリ
２２  特製ファイル（システムファイル）
【図１】
2006148390.tif 000003
【図２】
2006148390.tif 000004
【図３】
2006148390.tif 000005